(57)【特許請求の範囲】
【請求項１】
情報を表示する表示手段と、
第1の記録媒体を装着する装着手段と、
ネットワークを介して第２の記録媒体と通信する通信手段と、
前記装着手段に装着された前記第1の記録媒体に記憶されている第1の識別子と、前記通信手段の通信により取得された、前記第２の記録媒体に記憶されている第2の識別子とが対応するか否かを判定する判定手段と、
前記判定手段により前記第1の識別子と前記第2の識別子とが対応すると判定された場合、前記装着手段に装着された前記第1の記録媒体に記憶されている第1の情報を前記表示手段に表示させた後、前記通信手段の通信により取得された、前記第2の記録媒体に記憶されている第2の情報を前記表示手段により表示させる表示制御手段とを備え、
前記第1の記録媒体は、前記第2の記録媒体の前記ネットワーク上での位置を特定するための特定情報を含み、
前記通信手段は、前記第１の記録媒体に記憶された前記特定情報に基づいて、前記第２の記録媒体と通信する
ことを特徴とする情報処理装置。
【請求項２】
デジタルカメラ機能を有する機能拡張モジュールを装着するための接続手段と、
前記接続手段に接続された前記機能拡張モジュールにより撮影された画像を、前記第1の記録媒体に記憶させる記憶制御手段と
をさらに備えることと特徴とする請求項１に記載の情報処理装置。
【請求項３】
ＧＰＳ受信機能を含む機能拡張モジュールを装着するための接続手段をさらに備え、
前記第１の記録媒体または前記第２の記録媒体には、さらに、地図が記憶されており、
前記表示制御手段は、さらに、前記第１の記録媒体に記憶された前記地図を前記表示手段により表示させ、前記接続手段に接続された前記機能拡張モジュールにより取得された位置情報に基づく位置を前記地図上に表示させる
ことを特徴とする請求項１に記載の情報処理装置。
【請求項４】
ゲーム機能を有する機能拡張モジュールを装着するための接続手段と、
前記接続手段に接続された前記機能拡張モジュールにより前記情報処理装置がゲーム機として動作している場合に、そのゲームに関連するデータを前記第1の記録媒体に記憶させる記憶制御手段と
をさらに備えることを特徴とする請求項１に記載の情報処理装置。
【請求項５】
情報を表示する表示手段と、第1の記録媒体を装着する装着手段と、ネットワークを介して第２の記録媒体と通信する通信手段とを備える情報処理装置の情報処理方法において、
前記第1の記録媒体には、前記第2の記録媒体の前記ネットワーク上での位置を特定するための特定情報が含まれており、
前記装着手段に装着された前記第１の記録媒体に記憶された前記特定情報に基づいて、前記通信手段に前記第２の記録媒体と通信させる通信制御ステップと、
前記装着手段に装着された前記第1の記録媒体に記憶されている第1の識別子と、前記通信制御ステップの制御処理により取得された、前記第２の記録媒体に記憶されている第2の識別子とが対応するか否かを判定する判定ステップと、
前記判定ステップの処理により前記第1の識別子と前記第2の識別子とが対応すると判定された場合、前記装着手段に装着された前記第1の記録媒体に記憶されている第1の情報を前記表示手段に表示させた後、前記通信制御ステップの制御処理により取得された、前記第2の記録媒体に記憶されている第2の情報を前記表示手段により表示させる表示制御ステップと
を含むことを特徴とする情報処理方法。
【請求項６】
情報を表示する表示手段と、第1の記録媒体を装着する装着手段と、ネットワークを介して第２の記録媒体と通信する通信手段とを備える情報処理装置を制御するコンピュータのプログラムにおいて、
前記第1の記録媒体には、前記第2の記録媒体の前記ネットワーク上での位置を特定するための特定情報が含まれており、
前記装着手段に装着された前記第１の記録媒体に記憶された前記特定情報に基づいて、前記通信手段に前記第２の記録媒体と通信させる通信制御ステップと、
前記装着手段に装着された前記第1の記録媒体に記憶されている第1の識別子と、前記通信制御ステップの制御処理により取得された、前記第２の記録媒体に記憶されている第2の識別子とが対応するか否かを判定する判定ステップと、
前記判定ステップの処理により前記第1の識別子と前記第2の識別子とが対応すると判定された場合、前記装着手段に装着された前記第1の記録媒体に記憶されている第1の情報を前記表示手段に表示させた後、前記通信制御ステップの制御処理により取得された、前記第2の記録媒体に記憶されている第2の情報を前記表示手段により表示させる表示制御ステップと
を含むことを特徴とするコンピュータが読み取り可能なプログラムが記憶されている記録媒体。
【請求項７】
情報を表示する表示手段と、第1の記録媒体を装着する装着手段と、ネットワークを介して第２の記録媒体と通信する通信手段とを備える情報処理装置を制御するコンピュータに実行させるプログラムであって、
前記第1の記録媒体には、前記第2の記録媒体の前記ネットワーク上での位置を特定するための特定情報が含まれており、
前記装着手段に装着された前記第１の記録媒体に記憶された前記特定情報に基づいて、前記通信手段に前記第２の記録媒体と通信させる通信制御ステップと、
前記装着手段に装着された前記第1の記録媒体に記憶されている第1の識別子と、前記通信制御ステップの制御処理により取得された、前記第２の記録媒体に記憶されている第2の識別子とが対応するか否かを判定する判定ステップと、
前記判定ステップの処理により前記第1の識別子と前記第2の識別子とが対応すると判定された場合、前記装着手段に装着された前記第1の記録媒体に記憶されている第1の情報を前記表示手段に表示させた後、前記通信制御ステップの制御処理により取得された、前記第2の記録媒体に記憶されている第2の情報を前記表示手段により表示させる表示制御ステップと
をコンピュータに実行させるプログラム。
【発明の詳細な説明】
【０００１】
【発明の属する技術分野】
本発明は、情報処理装置および方法、記録媒体、並びにプログラムに関し、特に、様々な大容量のデータを処理することができるようにした情報処理装置および方法、記録媒体、並びにプログラムに関する。
【０００２】
【従来の技術】
近年、情報処理装置が普及し、外出先でも使用できるようにすることが要求されるようになり、PDA（Personal  Digital  Assistant）が登場してきた。
【０００３】
このようなPDAは、所定のメモリ（記録媒体）を装着する１つのメモリスロット、および、そのメモリスロットに装着されたメモリに記憶されている様々な情報を処理するための複数の機能を備えていることが多い。
【０００４】
例えば、本の内容がデータとして記憶されたメモリ（以下、電子本と称する）がメモリスロットに装着された場合、その内容を頁単位で表示する電子本閲覧機能を備えるPDAが知られている。
【０００５】
文章を主体とした電子本（以下、テキスト電子本と称する）は、主にテキストデータから構成されるため、その全体のデータ容量は小さい。従って、通常の本（紙媒体の本）1冊分の内容、即ち全ての頁のデータは、１つのメモリに記憶させることができる。換言すると、通常の本（紙媒体の本）１冊はテキスト電子本1冊に対応させることができる。
【０００６】
【発明が解決しようとする課題】
しかしながら、漫画等の絵を主体とした電子本（以下、漫画電子本と称する）は、主に画像（絵）のデータから構成されるため、その全体のデータ容量は、テキスト電子本のそれに比べて遙かに大きい。従って、通常の漫画本（紙媒体の漫画本）1冊分の内容、即ち、全ての頁のデータは、１つのメモリに記憶されることができないことがある。この場合、通常の本（紙媒体の本）１冊は、漫画電子本数冊（例えば、２冊）に分割されることになる。
【０００７】
その結果、ユーザは、従来のPDAにて漫画電子本を読む（再生させる）場合、複数冊の漫画電子本（メモリ）を持ち歩き、1冊の漫画電子本（メモリ）を読み終わると、頁の途中で、次の漫画電子本（メモリ）に交換するといった煩雑な作業を必要とするといった問題点があった。
【０００８】
漫画電子本に限らず、例えば、動画等のさらに大容量のデータが扱われる場合にも同様の問題点が発生する。
【０００９】
このように、PDAが処理できるデータ量は、それが保持するメモリの記憶容量に依存するため、従来のPDAは、大容量のデータを１度に扱えないという問題点があった。
【００１０】
また、大容量のデーを処理する必要がある機能、例えば、撮影した複数枚数の画像データを記憶する必要があるデジタルカメラ機能、大容量の地図データを必要とするGPS（Global  Positioning  System）機能等の複数の機能を、１台のPDAに設けることは困難であるという問題点があった。
【００１１】
本発明は、このような状況に鑑みてなされたものであり、様々な大容量のデータを処理することができるようにするものである。
【００１２】
【課題を解決するための手段】
本発明の情報処理装置は、情報を表示する表示手段と、第1の記録媒体を装着する装着手段と、ネットワークを介して第２の記録媒体と通信する通信手段と、装着手段に装着された第1の記録媒体に記憶されている第1の識別子と、通信手段の通信により取得された、第２の記録媒体に記憶されている第2の識別子とが対応するか否かを判定する判定手段と、判定手段により第1の識別子と第2の識別子とが対応すると判定された場合、装着手段に装着された第1の記録媒体に記憶されている第1の情報を前記表示手段に表示させた後、通信手段の通信により取得された、第2の記録媒体に記憶されている第2の情報を前記表示手段により表示させる表示制御手段とを備え、第1の記録媒体は、第2の記録媒体のネットワーク上での位置を特定するための特定情報を含み、通信手段は、第１の記録媒体に記憶された特定情報に基づいて、第２の記録媒体と通信することを特徴とする。
【００１３】
デジタルカメラ機能を有する機能拡張モジュールを装着するための接続手段と、接続手段に接続された機能拡張モジュールにより撮影された画像を、第1の記録媒体に記憶させる記憶制御手段とをさらに備える。
【００１４】
ＧＰＳ受信機能を含む機能拡張モジュールを装着するための接続手段をさらに備え、第１の記録媒体または第２の記録媒体には、さらに、地図が記憶されており、表示制御手段は、さらに、第１の記録媒体に記憶された地図を表示手段により表示させ、接続手段に接続された機能拡張モジュールにより取得された位置情報に基づく位置を地図上に表示させる。
【００１５】
ゲーム機能を有する機能拡張モジュールを装着するための接続手段と、接続手段に接続された機能拡張モジュールにより情報処理装置がゲーム機として動作している場合に、そのゲームに関連するデータを第1の記録媒体に記憶させる記憶制御手段とをさらに備える。
【００１６】
本発明の情報処理方法は、情報を表示する表示手段と、第1の記録媒体を装着する装着手段と、ネットワークを介して第２の記録媒体と通信する通信手段とを備える情報処理装置の情報処理方法であって、第1の記録媒体には、第2の記録媒体のネットワーク上での位置を特定するための特定情報が含まれており、前記装着手段に装着された第１の記録媒体に記憶された特定情報に基づいて、通信手段に第２の記録媒体と通信させる通信制御ステップと、装着手段に装着された第1の記録媒体に記憶されている第1の識別子と、通信制御ステップの制御処理により取得された、第２の記録媒体に記憶されている第2の識別子とが対応するか否かを判定する判定ステップと、判定ステップの処理により第1の識別子と第2の識別子とが対応すると判定された場合、装着手段に装着された第1の記録媒体に記憶されている第1の情報を表示手段に表示させた後、通信制御ステップの制御処理により取得された、第2の記録媒体に記憶されている第2の情報を表示手段により表示させる表示制御ステップとを含むことを特徴とする。
【００１７】
本発明の記録媒体およびプログラムは、上述した本発明の情報処理方法に対応する記録媒体およびプログラムである。
【００１８】
本発明の情報処理装置および方法、記録媒体、並びにプログラムにおいては、情報を表示する表示手段と、第1の記録媒体を装着する装着手段と、ネットワークを介して第２の記録媒体と通信する通信手段とを備える情報処理装置において次のような処理が実行される。即ち、第1の記録媒体には、第2の記録媒体のネットワーク上での位置を特定するための特定情報が含まれており、前記装着手段に装着された第１の記録媒体に記憶された特定情報に基づいて、通信手段と第２の記録媒体との通信が行われる。この場合、装着手段に装着された第1の記録媒体に記憶されている第1の識別子と、通信手段の通信により取得された、第２の記録媒体に記憶されている第2の識別子とが対応するか否かが判定され、第1の識別子と第2の識別子とが対応すると判定された場合、装着手段に装着された第1の記録媒体に記憶されている第1の情報が表示手段に表示された後、通信手段の通信により取得された、第2の記録媒体に記憶されている第2の情報が表示手段に表示される。
【００２４】
【発明の実施の形態】
図１と図２は、本発明が適用されるPDA１１の外観の構成例を表している。図１は、PDA１１の正面１１ａの構成を表しており、図２は、PDA１１の裏面１１ｂの構成を表している。
【００２５】
図１に示されるように、PDA１１の正面１１ａには、そのほぼ全面に、パネル２１が設けられている。
【００２６】
パネル２１は、液晶ディスプレイ等よりなる表示部２１ａと、その表示部２１ａの上方の表面上に積層される透明なタッチパネルからなるソフトキー２１ｂから構成されている。
【００２７】
パネル２１の表示部２１ａには、様々な情報、例えば、静止画、動画、またはテキスト文章等が表示される。
【００２８】
また、パネル２１の表示部２１ａの、ソフトキー２１ｂが配置されている位置には、ユーザにより選択された機能に応じて種々のキー（ボタン）が表示され、そのキーがユーザにより押下される（ユーザの指やタッチペン（図示せず）等が、その表示されたキーの上に配置される）と、それがソフトキー２１ｂにより検出され、その機能に対する所定の処理が行われる。
【００２９】
図２に示されるように、PDA１１の裏面には、その右側上部に、メモリスロット２２が設けられており、その左側に、着脱メモリスロット２５を装着するためのメモリスロット挿入溝２３およびソケット２４が設けられている。
【００３０】
ソケット２４は、着脱メモリスロット２５のプラグ２５ａが挿入されるソケットであり、メモリスロット挿入溝２３の下面２３ａの中央部下方に設けられている。
【００３１】
着脱メモリスロット２５がメモリスロット挿入溝２３に装着される場合、着脱メモリスロット２５のプラグ２５ａがソケット２４に差し込まれ、着脱メモリスロット２５とPDA１１とが電気的に接続される。
【００３２】
ソケット２４およびプラグ２５ａは、PDA１１専用のものが採用されても構わないが、所定の規格のものが採用されてもよい。
【００３３】
例えば、この例においては、ソケット２４はUSB(Universal  Serial  Bus)ポートから構成され、プラグ２５ａはUSBコネクタから構成されているものとする。
【００３４】
メモリスロット２２には、抜き差し自在なメモリスティック（ソニー株式会社の商標）２６ａが装着される。
【００３５】
また、着脱メモリスロット２５には、他のメモリスティック２６ｂが装着される。
【００３６】
即ち、着脱メモリスロット２５がPDA１１に装着されている場合、ユーザは、２つのメモリスティック２６ａ，２６ｂを、PDA１１に同時に装着することができる。
【００３７】
本願出願人であるソニー株式会社によって開発されたメモリスティック２６ａ，２６ｂは、小型薄型形状のプラスチックケース内に電気的に書き換えや消去が可能な不揮発性メモリであるEEPROM(Electrically  Erasable  and  Programmable  Read  Only  Memory)の一種であるフラッシュメモリ素子を格納したものであり、画像や音声、音楽等の各種情報（データ）を書き込みおよび読み出しが可能となっている。
【００３８】
またメモリスティック２６ａ，２６ｂは、大容量化等による内蔵フラッシュメモリの仕様変更に対しても、使用する機器で互換性を確保することができる独自のシリアルプロトコルを採用し、最大書込速度1.5[MB/S] 、最大読出速度2.45[MB/S]の高速性能を実現していると共に、誤消去防止スイッチを設けて高い信頼性を確保している。
【００３９】
従って、PDA１１は、このようなメモリスティック２６ａ，２６ｂを挿着することができるために、メモリスティック２６ａ，２６ｂを介して他の電子機器（メモリスティック２６ａ，２６ｂを装着可能な電子機器）との間でデータの共有化を図ることができるようになされている。
【００４０】
さらに、この例においては、着脱メモリスロット２５は、USBコネクタ２５ａを有しているので、ユーザは、PDA１１から取り外した着脱メモリスロット２５を、USBポートを有する他の電子機器に直接接続することができる。
【００４１】
従って、PDA１１は、メモリスティック２６ａ，２６ｂを装着できない他の電子機器（ただし、USBポートを有する電子機器）との間においても、着脱メモリスロット２５に装着されたメモリスティック２６ｂを介してデータの共有化を図ることができる。
【００４２】
また、着脱メモリスロット２５がPDA１１に装着されていない場合、ユーザは、USBプラグ２７ａを有するとともに、かつメモリスロット挿入溝２３に装着できる形状を有する機能拡張モジュール２７を、PDA１１（メモリスロット挿入溝２３およびUSBポート２４）に装着することができる。
【００４３】
例えば、ユーザが、デジタルカメラの機能を有する機能拡張モジュール（デジタルカメラモジュール）２７を、PDA１１に装着した場合、ユーザは、PDA１１を、デジタルカメラとして使用することができる。
【００４４】
この場合、ユーザは、撮影した画像（データ）を、メモリスロット２２に装着されたメモリスティック２６ａに記憶することができる。
【００４５】
また、ユーザが、PDA１１の位置情報を受信するGPS(Global  Positioning  System)受信装置等から構成される機能拡張モジュール（GPSモジュール）２７を、PDA１１に装着するとともに、地図（データ）が記憶されているメモリスティック２６ａをメモリスロット２２に装着した場合、ユーザは、PDA１１を、いわゆるナビゲーションシステム装置（位置の情報を受信し、その位置を地図上に表示させる装置）として使用することができる。
【００４６】
さらに、ユーザが、ゲームソフトのプログラムが記憶されている所定の記録媒体を挿入できるスロット、およびゲーム用操作キー等からなる機能拡張モジュール（ゲームモジュール）２７を、PDA１１に装着した場合、ユーザは、PDA１１を、ゲーム機として使用することができる。
【００４７】
この場合、ユーザは、ゲームの進行状況等のデータを、メモリスロット２２に装着されたメモリスティック２６ａに記憶させる（セーブする）ことができる。
【００４８】
また、ユーザが、PDA１１に電源を供給する充電可能なバッテリーパックから構成される機能拡張モジュール（バッテリーモジュール）２７を、PDA１１に装着した場合、ユーザは、PDA１１を、さらに長時間連続して使用することができる。
【００４９】
図３は、本発明が適用される図１および図２のPDA１１の内部の構成例を示すブロック図である。図１および図２において説明した部分については、その説明は省略する。
【００５０】
図３において、CPU（Central Processing Unit）４１には、メモリインターフェース４５が接続されている。
【００５１】
メモリインターフェース４５には、メモリスティック２６ａを装着するためのメモリスロット２２が接続されている。
【００５２】
また、メモリインターフェース４５には、USBポート（ソケット）２４が設けられており、そのUSBポート２４には、メモリスティック２６ｂを装着するための着脱メモリスロット２５のUSBコネクタ（プラグ）２５ａが差し込まれる。
【００５３】
これにより、着脱メモリスロット２５とメモリインターフェース４５とが電気的に接続される。
【００５４】
同様に、機能拡張モジュール２７のUSBコネクタ（プラグ）２７ａが、USBポート２４に差し込まれることにより、機能拡張モジュール２７とメモリインターフェース４５とが電気的に接続される。
【００５５】
CPU４１にはまた、ROM（Read Only Memory）４２、RAM（Random Access Memory）４３、表示部２１ａ、ソフトキー２１ｂ、および、通信部４６が接続されている。
【００５６】
CPU４１は、ROM４２に記憶されているプログラム、ネットワーク５１上の外部の情報処理装置５２から、ネットワーク５１および通信部４６を介してRAM４３にダウンロードしたプログラム、または、メモリスロット２２に装着されたメモリスティック２６ａ、着脱メモリスロット２５に装着されたメモリスティック２６ｂ、若しくは、機能拡張モジュール２７に内蔵されているメモリ等から、メモリインターフェース４５を介してRAM４３にロードしたプログラムに従って、PDA１１の全体の動作を制御する。
【００５７】
RAM４３にはまた、CPU４１が各種の処理を実行する上において必要なデータなどが適宜記憶される。
【００５８】
通信部４６は、さらに所定のネットワーク（例えば、インターネット等）５１と接続されており、CPU４１の制御に基づいて、ネットワーク５１に接続されている外部の情報処理装置５２とネットワーク５１を介して相互に通信する。
【００５９】
次に、図4のフローチャートを参照して、電子本閲覧機能（画像再生機能）の動作を説明する。
【００６０】
例えば、メモリスティック２６ａ（以下、単に、メモリ１と称する）が１冊目の電子本であり、またメモリスティック２６ｂ（以下、単に、メモリ２と称する）が２冊目の電子本であり、この２冊の電子本で１つのストーリーが完結しているものとする。
【００６１】
また、メモリ１およびメモリ２には、お互いを関連付けるための関連IDがそれぞれ記憶されているものとする。
【００６２】
いま、ユーザにより、メモリ１がメモリスロット２２（以下、メモリスロット１と記述する）に、またメモリ２が着脱メモリスロット２５（以下、メモリスロット２と記述する）にそれぞれ挿入された場合、ステップＳ１において、CPU４１は、メモリスロット１に装着されたメモリ１の内容を再生する。即ち、CPU４１は、メモリ１に記憶されているデータのうち、ユーザにより順次指定される頁の画像のデータを表示部２１ａに表示させる。
【００６３】
具体的には、CPU４１は、メモリスロット１に装着されたメモリ１に記憶されている頁情報データ、各頁の画像データ等を、メモリインターフェース４５を介して読み出し、RAM４３上に展開する（RAM４３に記憶させる）。
【００６４】
ユーザ（ソフトキー２１ｂ）より所定の頁（１冊目の電子本の範囲内の頁）が選択された場合、CPU４１は、その頁に対応する頁情報データの内容に基づいて、選択された項の画像データを表示部２１ａに表示させる。このようにして、CPU41は、メモリスロット１に装着されたメモリ１の内容を再生する。
【００６５】
いま、ユーザにより１冊目の電子本（メモリ１）の最後の頁以降の頁が指定された場合、ステップＳ２において、CPU４１は、メモリスロット２に装着されたメモリ２に関連ＩＤが記憶されているか否かを判定し、記憶されていないと判定した場合、メモリ２は２冊目の電子本ではないとみなし、その処理を終了する。
【００６６】
ステップＳ２において、メモリ２に関連ＩＤが記憶されていると判定された場合、ステップＳ３において、CPU４１は、メモリスロット１に装着されたメモリ１に記憶されている関連ID、およびメモリスロット２に装着されたメモリ２に記憶されている関連IDを読み出し、読み出したこれらの関連IDが相互に関連があるか否かを判定し、関連がないと判定した場合、メモリ２は２冊目の電子本ではないとみなし、その処理を終了する。
【００６７】
一方、ステップＳ３において、CPU４１は、メモリ１の関連IDとメモリ２の関連IDとが相互に関連があると判定した場合、メモリ２は２冊目の電子本であるとみなし、メモリスロット２に装着されたメモリ２の内容を再生する。即ち、CPU４１は、上述したステップＳ１の処理と同様に、メモリ２に記憶されているデータのうち、ユーザにより順次指定される頁の画像のデータを表示部２１ａに表示させる。そして、CPU４１は、２冊目の電子本（メモリ２）の最後の頁の画像データを表示させると、その処理を終了する。
【００６８】
なお、この例においては、PDA１１として説明したが、上述した構成を有し上述した一連の処理を実行できる情報処理装置であればその機種は限定されない。例えば、モバイル端末装置、または携帯電話端末等でもよい。
【００６９】
この例においては、PDA１１に設けられるメモリスロットの数は、メモリスロット１およびメモリスロット２の２つであったが、その数はPDA１１に設置可能な数であれば限定されない。
【００７０】
この例においては、メモリ１がメモリスロット１に、メモリ２がメモリスロット２にそれぞれ装着されたが、メモリ１がメモリスロット２に、メモリ２がメモリスロット１にそれぞれ装着されてもよい。
【００７１】
この例においては、メモリ１およびメモリ２に記憶されている情報は電子本の情報であったが、メモリス１およびメモリ２に記憶される情報は限定されない。例えば、映画等の動画像情報、地図情報、または音楽アルバムといった音声情報等の相互に関連のある情報が好適である。
【００７２】
メモリ１およびメモリ２に記憶されている関連IDは、相互に関連があるということが判別できる形式であれば、その形式は限定されない。
【００７３】
この例においては、メモリ１およびメモリ２は、メモリスティック２６ａおよびメモリスティック２６ｂであったが、メモリスロット１およびメモリスロット２が対応できる記録媒体であれば限定されない。例えば、図示はしないが、その他の半導体メモリ、磁気ディスク、光ディスク、または光磁気ディスク等でもよい。
【００７４】
さらに、メモリ２は、図３のネットワーク５１上に接続されている外部の情報処理装置５２に内蔵されているメモリでもよい。この場合、メモリ２の内容は、例えば、次のようにして再生される（表示される）。
【００７５】
即ち、メモリスロット１（図３のメモリスロット２２）に装着されメモリ１（図３のメモリスティック２６ａ）の関連IDには、情報処理装置５２に対して割り当てられているネットワーク５１上のアドレス（情報処理装置５２が位置するアドレス）が含まれており、通信部４６は、CPU４１の制御に基づいて、そのメモリ１の関連IDに含まれているアドレスを読み出し、そのアドレスに位置する情報処理装置５２内のメモリ２に記憶されている関連IDを、ネットワーク５１を介して取得する。
【００７６】
CPU４１は、メモリスロット１に装着されたメモリ１の関連IDと、通信部４６により取得されたメモリ２の関連IDとが対応するか否かを判定し、対応すると判定した場合、通信部４６は、CPU４１の制御に基づいて、情報処理装置５２内のメモリ２の内容をネットワーク５１を介して取得し、CPU41を介してRAM４３に記憶させる。即ち、PDA１１は、ネットワーク上にあるメモリ２の内容を、ネットワーク５１を介してダウンロードすることができる。
【００７７】
そして、CPU４１は、通信部４６により取得されたメモリ２の内容（または、RAM４３に記憶された（ダウンロードされた）メモリ２の内容）を、表示部２１ａに表示させる。
【００７８】
このように、メモリ２がネットワーク５１上に存在する場合、メモリ２の容量は情報処理装置５２の許容範囲内で限定されず、PDA１１は、さらに大容量のデータを取り扱うことができる。
【００７９】
なお、一連の処理をソフトウエアにより実行させる場合には、そのソフトウエアを構成するプログラムがPDA１１に、ネットワーク（例えば、図３のネットワーク５１）や記録媒体からインストールされる。
【００８０】
この記録媒体は、図３に示されるように、装置本体とは別に、ユーザにプログラムを供給するために配布される、プログラムが記憶されているメモリスティック２６ａ，２６ｂといった半導体メモリのみならず、図示はしないが、例えば、磁気ディスク（フロッピディスクを含む）、光ディスク（CD-ROM(Compact Disk-Read Only Memory),DVD(Digital Versatile Disk)を含む）、もしくは光磁気ディスク（ＭＤ（Mini-Disk）を含む）などよりなるパッケージメディアにより構成されることができる。さらに、装置本体に予め組み込まれた状態でユーザに供給される、プログラムが記憶されているROM４２や、ハードディスク（図示せず）などで構成される。
【００８１】
なお、以上においては、各フローチャートに示される処理は、図３のCPU４１がソフトウエアにより実行するようにしたが、各処理を実行するハードウエアを用意するようにして、ハードウエアにより実行されるようにすることも、もちろん可能である。
【００８２】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８３】
【発明の効果】
以上のごとく、本発明の情報処理装置および方法、記録媒体、並びにプログラムによれば、様々な大容量のデータを処理することができる。
【図面の簡単な説明】
【図１】本発明が適用されるPDAの正面の構成例を示す図である。
【図２】本発明が適用されるPDAの裏面の構成例を示す図である。
【図３】図１および図２のPDAの内部の構成例を示す図である。
【図４】図１および図２のPDAの電子本閲覧機能（画像再生機能）の処理を説明するフローチャートである。
【符号の説明】
１１  PDA，  ２１  パネル  ２１ａ  表示部，  ２１ｂ  ソフトキー，  ２２メモリスロット,  ２４  ソケット（ＵＳＢポート），  ２５  着脱メモリスロット，  ２５ａ  プラグ（ＵＳＢコネクタ），  ２６ａ，２６ｂ  メモリスティック，  ２７  機能拡張モジュール，  ４１  CPU，  ４６  通信部４６
【図１】
0003952269.tif 000002
【図２】
0003952269.tif 000003
【図３】
0003952269.tif 000004
【図４】
0003952269.tif 000005